(57)【要約】【課題】分草具を交換できなくなるおそれが少ないコンバインを提供する。【解決手段】筒状フレーム９を機体前方フレーム部分９ａと機体後方フレーム部分９ｂとに分離してあるフレーム分離部１４が、側板８を機体前方側板部分８ａと機体後方側板部分８ｂとに分離してある側板分離部１５に対して機体前後方向に位置をずらせて設けられ、機体前方フレーム部分９ａと機体後方フレーム部分９ｂとが、機体前後方向から互いに突き合わされると共に、当該機体前方フレーム部分９ａと機体後方フレーム部分９ｂとに亘って機体上下方向から外嵌させた連結部材１８にボルト連結され、機体前方側板部分８ａと機体後方側板部分８ｂとが機体左右方向から互いに重ね合わせてボルト連結されている。【選択図】図１１
2011177082.tif 000002
【特許請求の範囲】
【請求項１】
底板部及び前記底板部の横端部に連なった横側枠を備えた刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置と、左右両端部が前記横側枠に支持されて前記底板部の上方位置で駆動自在に設けられた横送りオーガと、前記横側枠の前端部に連設されて植立茎稈を刈取対象の植立茎稈と非刈取対象の植立茎稈とに分草可能な分草具とを有した刈取前処理部が装備され、
前記横側枠が、前記横送りオーガと前記分草具との中間位置において機体前後方向に分離可能に連結されているコンバインであって、
前記横側枠が、前記横送りオーガが取り付けられた側板とその側板の上部に設けられた筒状フレームとを備え、
前記筒状フレームを機体前方フレーム部分と機体後方フレーム部分とに分離してあるフレーム分離部が、前記側板を機体前方側板部分と機体後方側板部分とに分離してある側板分離部に対して機体前後方向に位置をずらせて設けられ、
前記フレーム分離部において、前記機体前方フレーム部分と機体後方フレーム部分とが、機体前後方向から互いに突き合わされると共に、当該機体前方フレーム部分と機体後方フレーム部分とに亘って機体上下方向から外嵌させた連結部材にボルト連結され、
前記側板分離部において、前記機体前方側板部分と機体後方側板部分とが機体左右方向から互いに重ね合わせてボルト連結されているコンバイン。
【請求項２】
前記フレーム分離部が、前記側板分離部よりも機体前方側に位置をずらせて設けられている請求項１記載のコンバイン。
【請求項３】
前記筒状フレームが矩形の横断面形状を備え、前記連結部材がコの字状の横断面形状に形成されている請求項１又は２記載のコンバイン。
【発明の詳細な説明】
【技術分野】
【０００１】
本発明は、底板部及び前記底板部の横端部に連なった横側枠を備えた刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置と、左右両端部が前記横側枠に支持されて前記底板部の上方位置で駆動自在に設けられた横送りオーガと、前記横側枠の前端部に連設されて植立茎稈を刈取対象の植立茎稈と非刈取対象の植立茎稈とに分草可能な分草具とを有した刈取前処理部が装備され、前記横側枠が、前記横送りオーガと前記分草具との中間位置において機体前後方向に分離可能に連結されているコンバインに関する。
【背景技術】
【０００２】
上記コンバインにおいては、稲、麦などのように条列に沿って整列状態で植え付けられた整列植立茎稈の他、菜種やひまわりなどのように条列に沿わない不整列状態で植え付けられた不整列植立茎稈を収穫対象とすることがある。
不整列植立茎稈を収穫対象とする場合は、分草具による分草開始位置が整列植立茎稈を収穫対象とする場合よりも機体前方側に設定される。
このために、上記コンバインでは、分草具による分草開始位置を植立茎稈の植え付け状態に応じて設定できるように、分草具を前端部に連設してある横側枠が、横送りオーガと分草具との中間位置において機体前方部分と機体後方部分とに機体前後方向に分離可能に連結されていて、分草開始位置が整列植立茎稈用に設定された整列植立茎稈用の機体前方部分と、分草開始位置が不整列植立茎稈用に設定された不整列植立茎稈用の機体前方部分とのいずれかを択一的に機体後方部分に連結できるように構成してある。
上記コンバインに関する先行技術文献情報を開示できないが、横側枠を、分草具が連設されている機体前方部分を横送りオーガが取り付けられた機体後方部分に対して分離可能に連結して構成してある。
すなわち、機体前方部分の上部に連結部材としての下向きコの字状のブラケット一体に設け、機体後方部分の上部を構成している横断面形状が矩形の筒状フレームをこのブラケットの内側に差し込んで、互いにボルトで連結してある。
【発明の概要】
【発明が解決しようとする課題】
【０００３】
このため、機体後方部分の筒状フレームを、機体前方部分のブラケットに差し込む際の衝撃や、機体前方部分の不使用時の保管に際しての取扱いにおけるブラケットの他物との衝突による衝撃などで、ブラケットが変形するおそれがある。
ブラケットが変形してしまうと、機体後方部分の筒状フレームをブラケットに差し込むことができなくなり、分草具を交換できなくなるおそれがある。
本発明は上記実情に鑑みてなされたものであって、分草具を交換できなくなるおそれが少ないコンバインを提供することを目的とする。
【課題を解決するための手段】
【０００４】
本発明の第１特徴構成は、底板部及び前記底板部の横端部に連なった横側枠を備えた刈取部フレームと、植立茎稈に刈取り作用するように前記底板部に支持された刈取装置と、前記刈取装置の上方側位置で掻き込み用タインを回動させて刈取対象の植立茎稈を掻き込み操作する掻き込み装置と、左右両端部が前記横側枠に支持されて前記底板部の上方位置で駆動自在に設けられた横送りオーガと、前記横側枠の前端部に連設されて植立茎稈を刈取対象の植立茎稈と非刈取対象の植立茎稈とに分草可能な分草具とを有した刈取前処理部が装備され、前記横側枠が、前記横送りオーガと前記分草具との中間位置において機体前後方向に分離可能に連結されているコンバインであって、
前記横側枠が、前記横送りオーガが取り付けられた側板とその側板の上部に設けられた筒状フレームとを備え、前記筒状フレームを機体前方フレーム部分と機体後方フレーム部分とに分離してあるフレーム分離部が、前記側板を機体前方側板部分と機体後方側板部分とに分離してある側板分離部に対して機体前後方向に位置をずらせて設けられ、前記フレーム分離部において、前記機体前方フレーム部分と機体後方フレーム部分とが、機体前後方向から互いに突き合わされると共に、当該機体前方フレーム部分と機体後方フレーム部分とに亘って機体上下方向から外嵌させた連結部材にボルト連結され、前記側板分離部において、前記機体前方側板部分と機体後方側板部分とが機体左右方向から互いに重ね合わせてボルト連結されている点にある。
【０００５】
本構成であれば、フレーム分離部において、機体前方フレーム部分と機体後方フレーム部分とが、機体前後方向から互いに突き合わされると共に、当該機体前方フレーム部分と機体後方フレーム部分とに亘って機体上下方向から外嵌させた連結部材にボルト連結され、側板分離部において、機体前方側板部分と機体後方側板部分とが機体左右方向から互いに重ね合わせてボルト連結されている。
このため、連結部材と機体前方フレーム部分とを予め一体化しておくことなく、機体前方フレーム部分と機体後方フレーム部分とを機体前後方向から互いに突き合わせてから、機体前方フレーム部分と機体後方フレーム部分とに亘って連結部材を機体上下方向から外嵌させて、連結部材を介して、機体前方フレーム部分と機体後方フレーム部分とを分離可能にボルト連結することができる。
したがって、機体前方フレーム部分を機体後方フレーム部分に対して組み付ける際の衝撃が連結部材に伝わり難いと共に、機体前方フレーム部分及び機体前方側板部分の保管に際しての取扱いにおいても、連結部材が他物と衝突して衝撃を受けるおそれが少ないので、連結部材が変形し難い。
よって、本構成のコンバインであれば、分草具を交換できなくなるおそれが少ない。
また、フレーム分離部が側板分離部に対して機体前後方向に位置をずらせて設けられているので、機体前方フレーム部分と機体後方フレーム部分との相対位置と、機体前方側板部分と機体後方側板部分との相対位置とが互いに規制される。
したがって、機体前方フレーム部分と機体後方フレーム部分との突き合わせ位置も、機体前方側板部分と機体後方側板部分との相対位置も、位置決めし易い。
【０００６】
本発明の第２特徴構成は、前記フレーム分離部が、前記側板分離部に対して機体前方側に位置をずらせて設けられている点にある。
【０００７】
本構成であれば、機体前方フレーム部分と機体後方フレーム部分とを互いに突き合わせる際に、走行機体側の機体後方フレーム部分を機体前方フレーム部分に対して機体上方側から近接するように移動させて、当該機体前方フレーム部分に対して機体前後方向から突き合わせることができる。
したがって、機体前方フレーム部分と機体前方側板部分とを一定姿勢に保持しておいて、走行機体側による機体後方フレーム部分の移動操作で、機体前方フレーム部分を機体後方フレーム部分に対して容易に突き合わせることができる。
【０００８】
本発明の第３特徴構成は、前記筒状フレームが矩形の横断面形状を備え、前記連結部材がコの字状の横断面形状に形成されている点にある。
【０００９】
本構成であれば、機体前方フレーム部分と機体後方フレーム部分との筒状フレーム周方向における相対位置を位置決めし易い。
【図面の簡単な説明】
【００１０】
【図１】コンバインの全体を示す右側面図である。
【図２】コンバインの全体を示す左側面図である。
【図３】コンバインの全体を示す平面図である。
【図４】刈取前処理部の前部を示す左側面図である。
【図５】刈取前処理部の切断装置が位置する部位を示す右側面図である。
【図６】切断装置及び伝動機構を示す左側面図である。
【図７】切断装置を示す横断平面図である。
【図８】横側枠の要部断面図である。
【図９】伝動機構を示す正面図である。
【図１０】不整列植立茎稈用横側枠の左側面図である。
【図１１】横側枠における不整列植立茎稈用機体前方部分を分離した状態を示す左側面図である。
【図１２】整列植立茎稈用の機体前方部分を連結してあるコンバインの全体を示す左側面図である。
【図１３】整列植立茎稈用横側枠の左側面図である。
【図１４】横側枠における整列植立茎稈用機体前方部分を分離した状態を示す左側面図である。
【図１５】図５のXV−XV線断面矢視図である。
【図１６】図５のXVI −XVI 線断面矢視図である。
【図１７】内用のカバーを示す斜視図である。
【図１８】カバーと支柱との連結部の断面図である。
【図１９】カバーと筒状フレームとの連結部の断面図である。
【発明を実施するための形態】
【００１１】
以下に本発明の実施の形態を図面に基づいて説明する。
図１は、本発明の実施の形態に係るコンバインの全体を示す右側面図である。図２は、本発明の実施の形態に係るコンバインの全体を示す左側面図である。図３は、本発明の実施の形態に係るコンバインの全体を示す平面図である。図１〜図３に示すように、本発明の実施の形態に係るコンバインは、運転座席１ａを有した運転部１が装備された走行機体２を備え、走行機体２の機体フレーム３の後部側に脱穀装置４と穀粒タンク１１と袋詰め部１０とを備え、脱穀装置４の前部にフィーダ２１が走行機体横向き軸芯Ｘまわりに上下揺動自在に連結された刈取前処理部２０を備えて構成してある。
【００１２】
このコンバインは、菜種やひまわりなどのように条列に沿わない不整列状態で植え付けられた不整列植立茎稈を収穫対象とする。
走行機体２は、左右一対のクローラ式の走行装置５，５を備え、運転座席１ａの下方に位置するエンジン６からの駆動力によって左右一対の走行装置５，５を駆動して自走する。
【００１３】
刈取前処理部２０は、フィーダ２１が昇降シリンダ２２によって軸芯Ｘまわりに上下に揺動操作されることにより、フィーダ２１の前端部に連結された刈取部フレーム２３が地面近くに下降した下降作業状態と、刈取部フレーム２３が地面から高く上昇した上昇非作業状態とに昇降する。
【００１４】
刈取前処理部２０を下降作業状態にして走行機体２を走行させると、刈取前処理部２０は、植立茎稈を刈取り、刈取茎稈の株元から穂先までの全体をフィーダ２１によって脱穀装置４に供給する。脱穀装置４は、フィーダ２１からの刈取茎稈を脱穀処理し、脱穀粒を揚穀装置７（図３参照）によって穀粒袋詰め部１０のホッパー形の穀粒タンク１１に供給する。
【００１５】
刈取前処理部２０について詳述する。
図１〜３に示すように、刈取前処理部２０の刈取部フレーム２３は、フィーダ２１の前端部に連結している後枠２３ａと、この後枠２３ａの下端部に後端部が連なった底板部２３ｂと、この底板部２３ｂの両横端部に下端部が連なった横側枠２３ｃとを備えて構成してある。左右の横側枠２３ｃの後端部は後枠２３ａの横端部に連なっている。
【００１６】
図１〜３に示すように、刈取前処理部２０は、フィーダ２１及び刈取部フレーム２３を備える他、刈取部フレーム２３の内側の底板部２３ｂの上方位置で駆動自在に設けられた横送りオーガ２４、刈取部フレーム２３の底板部２３ｂの前端部に駆動自在に支持されたバリカン形の刈取装置２５、刈取部フレーム２３の左右の横側枠２３ｃの前端部に連設された分草具２６、刈取部フレーム２３の後枠２３ａの上部から走行機体前方向きに上下揺動操作自在に延出した左右一対の支持アーム２７の先端部に支持された掻き込み装置２８、刈取部フレーム２３の左側の横側枠２３ｃの横外側に立設された走行機体上下向きのバリカン形の切断装置４０を備えている。
【００１７】
左右の分草具２６は、分草開始位置が不整列植立茎稈用に設定されるように刈取装置２５よりも走行機体前方側に位置している。左右の分草具２６は、植立茎稈の株元側に押し分け作用して、植立茎稈を刈取対象の植立茎稈と非刈取対象の植立茎稈とに分草する。
切断装置４０は、植立茎稈を刈取対象の植立茎稈と非刈取対象の植立茎稈とに切断して分草する。
【００１８】
図４は、刈取前処理部２０の前部を示す左側面図である。図４に示すように、掻き込み装置２８は、走行機体側面視で正五角形に形成して左右の支持アーム２７に回転自在に支持された回転枠２９を備え、この回転枠２９の各頂部に枢支された掻き込み用タイン３０を備えて構成してある。
【００１９】
掻き込み装置２８は、回転枠２９にベルト伝動機構３１（図１参照）を介して伝動されて回転枠２９が掻き込み方向に回転駆動されることにより、これに同調させて掻き込み用タイン３０を逆方向に自転駆動することで、掻き込み用タイン３０を常に下方に向けた状態で刈取装置２５の上方側位置で機体前方側から後方側へ円弧状の掻き込み移動軌跡をもって回動作動させ、刈取対象の植立茎稈を回動する掻き込み用タイン３０によって刈取部フレーム２３の内部に掻き込み操作する。
【００２０】
図５は、刈取前処理部２０の切断装置４０が位置する部位を示す右側面図である。図７は、切断装置４０を示す横断平面図である。図４，５，７に示すように、切断装置４０は、刈取部フレーム２３における左側の横側枠２３ｃの横外側に走行機体上下向きに設けた切断フレーム４１と、この切断フレーム４１の前面側に突設されたガイドプレート４２に上下摺動自在に支持された左右一対の可動刃４３，４３とを備えて構成してある。
【００２１】
図４〜６，９に示すように、切断装置４０の下端側は、切断フレーム４１の下端部と横側枠２３ｃの外面側とにわたって連結された連結部材４４を介して横側枠２３ｃに支持され、切断装置４０の上端側は、切断フレーム４１の上端部に設けた連結部４１ａに上端部が連結された支柱４５に支持されている。支柱４５は、刈取部フレーム２３の左側の横側枠２３ｃの外面に連結されて走行機体上方向きに延出している。
【００２２】
図６，７に示すように、左右の可動刃４３は、走行機体上下方向に並ぶ複数枚の可動刃ピース４３ａと、各可動刃ピース４３ａに連結ピン４３ｂによって止着されて可動刃ピース４３ａどうしを連結しているナイフバー４３ｃとを備えて構成してある。左右の可動刃４３は、ガイドプレート４２の複数箇所に連結ボルト４６を介して取り付けられたナイフクリップ４７を介してガイドプレート４２に摺動自在に装着されている。
【００２３】
切断装置４０は、左右の可動刃４３の下端側に屈曲板金を付設して設けた可動刃操作部４８を備えおり、各可動刃４３の可動刃操作部４８に上端部が連結された走行機体上下向きの連動ロッド５１を備えた伝動機構５０（図６，９参照）を介して刈取装置２５の可動刃２５ａに連動されている。
【００２４】
つまり、切断装置４０は、刈取装置２５の駆動力が伝動機構５０によって左右の可動刃操作部４８に伝達されることにより、左右一対の可動刃４３，４３が走行機体上下方向に相対摺動するように、かつ往復摺動するように駆動され、植立茎稈の左側の分草具２６よりも穂先側に位置する部位に左右一対の可動刃４３，４３を作用させる。これにより、切断装置４０は、植立茎稈の左側の分草具６２よりも穂先側に位置する部位を切断し、株元側が分草具６２で分草された植立茎稈を刈取対象の植立茎稈と非刈取対象の植立茎稈とに分草するとともに刈取対象と非刈取対象の茎稈の絡み合いをほぐし、分草後の刈取対象の植立茎稈を刈取部フレーム２３の内部に案内し、分草後の非刈取対象の植立茎稈を刈取部フレーム２３の外部に案内する。
【００２５】
刈取装置２５は、可動刃２５ａの作動で、掻き込み装置２８によって穂先側が刈取部フレーム２３の内部に掻き込み供給された刈取対象の植立茎稈、及び切断装置４０によって分草された刈取対象の植立茎稈の株元側に刈取り作用する。
【００２６】
横送りオーガ２４は、左右両端部が横側枠２３ｃに支持されて、刈取装置２５からの刈取茎稈を刈取部フレーム２３の底板部２３ｂに沿わせてフィーダ２１の前側に向けて横移送し、フィーダ２１の前側に到達した刈取茎稈を横送りオーガ２４が一体回転自在に備える掻き送りバー２４ａによってフィーダ２１の搬送ダクトの前端部内に送り込む。
【００２７】
フィーダ２１は、搬送ダクトに送り込まれた刈取茎稈を搬送ダクトの内部に位置する無端回動形のコンベヤ２１ａ（図２参照）によって脱穀装置４の前端部に揚送して刈取茎稈の株元から穂先までの全体を脱穀装置４の扱室に送り込む。
【００２８】
図６は、切断装置４０に動力伝達する伝動機構５０を示す側面図である。図９は、切断装置４０に動力伝達する伝動機構５０を示す正面図である。図６，９に示すように、切断装置４０に動力伝達する伝動機構５０は、前記一対の連動ロッド５１，５１を備える他、一方の連動ロッド５１の下端側が一方の遊端部に連結され、他方の連動ロッド５１の下端側が他方の遊端部に連結された天秤型の揺動自在な連動リンク５２と、この連動リンク５２のボス部５２ａに噛み合い式のクラッチ５３を介して連動する回転伝動軸５４と、この回転伝動軸５４の後端側から走行機体下方向きに一体回転自在に延出した揺動リンク５５と、この揺動リンク５５を刈取装置２５の可動刃２５ａに連結している走行機体横向きの連動ロッド５６とを備えて構成してある。
【００２９】
回転伝動軸５４は、横側枠２３ｃの外面側に設けた前後一対の軸支具５７，５７に回転自在に支持されている。各軸支具５７は、横側枠２３ｃの外面側に板金部材を付設して設けた支持台５８に支持されている。
【００３０】
図６，９に示すように、クラッチ５３は、連動リンク５２のボス部５２ａと、回転伝動軸５４に一体回転自在に設けた伝動ピン５４ａとによって構成してあり、連動リンク５２のボス部５２ａにフォーク５９ａを介して連動しているロッド形の操作具５９によって入り状態と切り状態とに切り換え操作されて、切断装置４０を駆動状態と停止状態とに切り換える。
【００３１】
すなわち、操作具５９が摺動操作されると、操作具５９による操作力と、回転伝動軸５４に装着されたスプリング５３ａ（図６参照）による操作力とによって、連動リンク５２のボス部５２ａが回転伝動軸５４に対してスライドしてボス部５２ａの端部に設けてある切り欠きに伝動ピン５４ａが係脱する。伝動ピン５４ａがボス部５２ａの切り欠きに係入すると、ボス部５２ａと回転伝動軸５４とが係合し合って一体回転する。伝動ピン５４ａがボス部５２ａの切り欠きから離脱すると、ボス部５２ａと回転伝動軸５４とが係合解除状態になって相対回転する。
【００３２】
図４に示すように、刈取部フレーム２３は、横側枠２３ｃの外面側に脱着自在に設けた外用のカバー６０を備えている。この外用のカバー６０は、横側枠２３ｃの横外側に位置する下部カバー部６１と、切断装置４０の横外側に位置する上部カバー部６２とを備えて構成してあり、伝動機構５０の刈取部フレーム外方側を下部カバー部６１と上部カバー部６２とによって覆い、伝動機構５０に刈取部フレーム外方側から茎稈が入り込むことを防止する。
【００３３】
左右の横側枠２３ｃの夫々は、図１，２に示すように、横送りオーガ２４を支持する側板８と、側板８の上部に設けられた横断面形状が矩形の筒状フレーム９とを備え、横送りオーガ２４と分草具２６との中間位置において、機体前方部分１２と機体後方部分１３とに機体前後方向に互いに分離可能に連結されている。
底板部２３ｂは、横側枠２３ｃの機体前方部分１２と機体後方部分１３との連結箇所において前後に分離自在に連結され、図４〜６，１０，１１に示すように、底板部２３ｂをその分離箇所に沿って補強する底板補強フレーム３５ａ，３５ｂどうしをボルト連結してある。
【００３４】
機体前方部分１２と機体後方部分１３は、図１０，１１に示すように、筒状フレーム９を機体前方フレーム部分９ａと機体後方フレーム部分９ｂとに分離してあるフレーム分離部１４を、側板８を底板補強フレーム３５と共に機体前方側板部分８ａと機体後方側板部分８ｂとに分離してある側板分離部１５に対して、機体前後方向の機体前方側に位置をずらせて設けて、図１０に示すように、互いに分離可能に連結されている。
図１０，１１は機体左側の横側枠２３ｃを示しており、機体左右の横側枠２３ｃは略左右対称に設けられているので、機体右側の横側枠２３ｃの説明は省略する。
【００３５】
図１０，１１に示す機体前方部分１２は、分草具２６による分草開始位置が不整列植立茎稈用に設定された不整列植立茎稈用の機体前方部分１２であり、分草具２６を固定してある前部フレーム１６に機体前方フレーム部分９ａが一体に固体され、機体前方側板部分８ａが機体前方フレーム部分９ａと前部フレーム１６とに一体に固体されている。
【００３６】
左側の横側枠２３ｃを構成する機体前方部分１２には、切断装置４０と、刈取装置２５の駆動力を切断装置４０に伝達する伝動機構５０とが組み付けられているので、その機体前方側板部分８ａには、伝動機構５０における揺動リンク５５と連動ロッド５６との連係部分を組み付けるための切欠１７が設けられている。
【００３７】
機体後方部分１３は、機体後方フレーム部分９ｂが後枠２３ａの横側上端部に一体に固定され、機体後方側板部分８ｂが後枠２３ａ及び底板部２３ｂの横側端部に一体に固定されている。
機体前方フレーム部分９ａの下部には後方に向けて突設された位置決め案内部材９Ａが設けられており、この位置決め案内部材９Ａの上面側が機体後方フレーム部分９ｂの前部下部に設けられた案内支持部９Ｂの下面側に当て付けられて位置決め案内される。
【００３８】
フレーム分離部１４においては、機体前方フレーム部分９ａと機体後方フレーム部分９ｂとが、機体前後方向から互いに突き合わされると共に、当該機体前方フレーム部分９ａと機体後方フレーム部分９ｂとに亘って機体上下方向から外嵌させた連結部材１８にボルト１９で連結されている。
ボルト１９は、機体前方フレーム部分９ａ及び機体後方フレーム部分９ｂの内側に溶接固定されたナット１９ｂにねじ込んである。
連結部材１８は、横側枠２３ｃの側板８にもボルト１９で連結されている。
【００３９】
連結部材１８は、図８に示すように、筒状フレーム（機体前方フレーム部分９ａ，機体後方フレーム部分９ｂ）９の外周面に対して筒径方向の上方側から外嵌可能なコの字状の横断面形状に形成されている。
【００４０】
側板分離部１５においては、機体前方側板部分８ａと機体後方側板部分８ｂとが機体左右方向から互いに重ね合わせて複数箇所でボルト１９で連結してある。底板補強フレーム３５ａと底板補強フレーム３５ｂとを互いに突き合わせて複数箇所でボルト１９で連結してある。
【００４１】
底板補強フレーム３５ｂは、底板部２３ｂの前端部において左右の機体後方側板部分８ｂに亘ってボルト連結されたものである。底板補強フレーム３５ａは、切断装置２５と底板補強フレーム３５ｂとの間を塞ぐ平板状で底板状であり、左右の機体前方側板部分８ａの下部に亘ってボルト連結されている。機体前方側板部分８ａにおける補強材３５ｃが底板補強フレーム３５ａにボルト連結されている。
【００４２】
図１２は、稲、麦などのように条列に沿って整列状態で植え付けられた整列植立茎稈を収穫対象とする場合に、図１０，１１に示した不整列植立茎稈用の機体前方部分１２に代えて、整列植立茎稈用の機体前方部分１２を機体後方部分１３に連結してあるコンバインを示す。
【００４３】
図１３，１４に示すように、整列植立茎稈用の機体前方部分１２は、機体前方フレーム部分９ａの機体前後方向長さを短くして分草具２６による分草開始位置が整列植立茎稈用に設定されている点と、底板補強フレーム３５ａを備えない点と、左右いずれにも切断装置４０及びその伝動機構５０を装備していない点において、図１０，１１に示した機体前方部分１２とは仕様が異なっており、図１０，１１に示した機体前方部分１２と同様の連結構造を有している。
【００４４】
したがって、整列植立茎稈用の機体前方部分１２は、図１０，１１に示した機体前方部分１２と同様に、図１３に示すように機体後方部分１３に分離可能に連結される。
尚、機体前方側板部分８ａの下端側を補強する補強材３５ｃが、機体後方部分１３の底板補強フレーム３５ｂにボルト連結され、機体前方側板部分８ａにおける補強材３５ｃの上側には、刈取装置２５やその図示しない駆動機構の組み付け用切欠２５ａが形成され、刈取装置２５は底板補強フレーム３５ｂにボルト固定されている。
【００４５】
図５に示すように、刈取部フレーム２３は、左側の横側枠２３ｃと支柱４５と切断装置４０の切断フレーム４１とに亘って脱着自在に取り付けた内用のカバー７０を備えている。
【００４６】
図１５は、図５のXV−XV線断面矢視図である。図１６は、図５のXVI −XVI 線断面矢視図である。図１７は、内用のカバー７０を示す斜視図である。図５，９，１５，１７に示すように、内用のカバー７０は、伝動機構５０の連動ロッド５１の刈取部フレーム内方側での横側方において機体前方フレーム部分９ａの上側に位置する伝動カバー部７１と、この伝動カバー部７１の後部に連なった状態で機体前方フレーム部分９ａと機体後方フレーム部分９ｂの上側に位置する第一の傾斜カバー部７２と、この第一の傾斜カバー部７２の後部に連なった状態で機体後方フレーム部分９ｂの上側に位置する第二の傾斜カバー部７３と、第一の傾斜カバー部７２の上部に連なった状態で支柱４５と切断装置４０の切断フレーム４１との間に位置する壁板部７４とを備えて構成してある。
【００４７】
図５，１５に示すように、内用のカバー７０は、伝動機構５０における横側枠２３ｃから走行機体上方側に突出した部位としての連動ロッド５１の刈取部フレーム内方側を伝動カバー部７１によって覆い、茎稈の連動ロッド５１に対する接触を防止する。
【００４８】
図５に示すように、内用のカバー７０は、切断装置４０の切断フレーム４１と支柱４５の間の空間を壁板部７４によって覆い、茎稈が切断フレーム４１と支柱４５の間に入り込んで切断フレーム４１や支柱４５にから絡みつくことを防止する。
【００４９】
図１５，１６，１７に示すように、内用のカバー７０は、第一の傾斜カバー部７２の下端部の裏面側に設けた前後一対の第一連結部材７５，７５と、第二の傾斜カバー部７３の下端部の裏面側に設けた第二連結部材７６と、壁板部７４の上部に設けた前後一対の連結用貫通孔７７，７７とを備えている。
【００５０】
第一、第二連結部材７５，７６の夫々にも連結用貫通孔３２が形成されており、内用のカバー７０は、これらの連結用貫通孔７７，３２に挿通した頭付きネジ７８を、刈取部フレーム２３に固定された支持部材３３である筒状フレーム９と、切断フレーム４１に設けた支持ブラケット７９と、支柱４５に設けた支持ブラケット８０との夫々にねじ込んで取り付けられている。
【００５１】
すなわち、壁板部７４の上部は、図１８に示すように、前後一対の連結用貫通孔７７，７７のうちの前側の連結用連結孔７７に挿通した頭付きネジ７８を、切断フレーム４１に設けた支持ブラケット７９に溶接固定してあるナット８１にねじ込むとともに、後側の連結用連結孔７７に挿通した頭付きネジ７８を、支柱４５に設けた支持ブラケット８０に溶接固定してあるナット８１にねじ込んで固定してある。
【００５２】
前後一対の第一連結部材７５，７５及び第二連結部材７６の夫々は、図１９に示すように、連結用貫通孔３２に挿通した頭付きネジ７８を筒状フレーム９に形成した雌ネジ孔３４にねじ込んで、内用のカバー７０の下端側を横側枠２３ｃに固定してある。
【００５３】
図１８，１９に示すように、頭付きネジ７８における頭部７８ａと、カバー７０との間に、頭付きネジ７８におけるネジ軸部７８ｂが挿通された環状のゴム製弾性部材３６を圧縮変形状態で介在させてある。
すなわち、頭付きネジ７８における頭部７８ａと支持部材（筒状フレーム９，支持ブラケット７９，８０）３３との間に、ネジ軸部７８ｂが挿通された金属製筒状スペーサ３７を、連結用貫通孔３２，７７に挿通された状態で挟み込んであり、筒状スペーサ３７の外周部に形成してある鍔３７ａとカバー７０との間に、弾性部材３６を圧縮変形状態で介在させてある。
筒状スペーサ３７は、その一端が支持部材（筒状フレーム９，支持ブラケット７９，８０）３３に当接し、かつ、鍔３７ａが頭付きネジ７８における頭部７８ａに当接して、支持部材３３と頭部７８ａとの間隔を一定に保持している。
【００５４】
図５，９，１５に示すように、内用のカバー７０は、第一の傾斜カバー部７２及び第二の傾斜カバー部７３によって傾斜ガイド部８１を構成している。この傾斜ガイド部８１は、横側枠２３ｃの上方に走行機体下方側ほど刈取部フレーム内方側に位置する傾斜姿勢で位置しており、切断装置４０による切断によって稈身から分離して切断装置４０から落下した茎稈片を横側枠２３ｃよりも刈取部フレーム内方側に落下するように案内し、茎稈片が刈取部フレーム２３の外部にこぼれ落ちたり、横側枠２３ｃの上端面２３ｄ（図８，９参照）に載ったままになって回収されなくなることを防止する。
【００５５】
〔その他の実施形態〕
１．本発明によるコンバインは、フレーム分離部１４が、側板分離部１５よりも機体後方側に位置をずらせて設けられていてもよい。
２．本発明によるコンバインの横側枠２３ｃが備える筒状フレーム９は、市販の角筒状の鋼材であっても、鋼板を溶接などによって角筒状に形成したものであってもよい。
【産業上の利用可能性】
【００５６】
本発明は、切断装置４０が設けられたコンバインの他、切断装置４０が設けられていないコンバインにも、グレンタンクを装備したコンバインにも適用することができる。
【符号の説明】
【００５７】
８  側板
８ａ  機体前方側板部分
８ｂ  機体後方側板部分
９  筒状フレーム
９ａ  機体前方フレーム部分
９ｂ  機体後方フレーム部分
１４  フレーム分離部
１５  側板分離部
１８  連結部材
２０  刈取前処理部
２３  刈取部フレーム
２３ｂ  刈取部フレームの底板部
２３ｃ  刈取部フレームの横側枠
２４  横送りオーガ
２５  刈取装置
２６  分草具
２８  掻き込み装置
３０  掻き込み用タイン
【図１】
2011177082.tif 000003
【図２】
2011177082.tif 000004
【図３】
2011177082.tif 000005
【図４】
2011177082.tif 000006
【図５】
2011177082.tif 000007
【図６】
2011177082.tif 000008
【図７】
2011177082.tif 000009
【図８】
2011177082.tif 000010
【図９】
2011177082.tif 000011
【図１０】
2011177082.tif 000012
【図１１】
2011177082.tif 000013
【図１２】
2011177082.tif 000014
【図１３】
2011177082.tif 000015
【図１４】
2011177082.tif 000016
【図１５】
2011177082.tif 000017
【図１６】
2011177082.tif 000018
【図１７】
2011177082.tif 000019
【図１８】
2011177082.tif 000020
【図１９】
2011177082.tif 000021